(57)【要約】【課題】発見信号の送信を行うユーザ装置に対して、適切な送信タイミングオフセットを設定する。【解決手段】無線により発見信号の送信を行うユーザ装置に制御信号を送信する基地局において、前記ユーザ装置に対し、発見信号の送信を行うために使用する発見リソースを割り当てるリソース割り当て手段と、前記発見リソースの割り当て方法に基づいて、前記ユーザ装置が発見信号を送信するために用いる送信タイミング情報を決定する決定手段と、前記送信タイミング情報を前記ユーザ装置に送信する送信手段とを備える。【選択図】図４
2015185961.tif 000002
【特許請求の範囲】
【請求項１】
無線により発見信号の送信を行うユーザ装置に制御信号を送信する基地局であって、
前記ユーザ装置に対し、発見信号の送信を行うために使用する発見リソースを割り当てるリソース割り当て手段と、
前記発見リソースの割り当て方法に基づいて、前記ユーザ装置が発見信号を送信するために用いる送信タイミング情報を決定する決定手段と、
前記送信タイミング情報を前記ユーザ装置に送信する送信手段と
を備えることを特徴とする基地局。
【請求項２】
前記リソース割り当て手段は、セルラー通信のために使用されるリソースと前記発見リソースとの間にガードバンドを設定する機能を備え、
前記決定手段は、前記ガードバンドの設定方法に基づいて前記送信タイミング情報を決定する
ことを特徴とする請求項１に記載の基地局。
【請求項３】
前記送信タイミング情報は、前記ユーザ装置が同期信号を受信するタイミングに対するオフセットを示す情報である
ことを特徴とする請求項１又は２に記載の基地局。
【請求項４】
無線により発見信号の送信を行うユーザ装置であって、
基地局から、前記ユーザ装置が発見信号を送信するために用いる送信タイミング情報を含む制御信号を受信する受信手段と、
前記制御信号から取得した前記送信タイミング情報を用いて発見信号を送信する送信手段と、を備え、
前記送信タイミング情報は、発見信号の送信を行うために使用される発見リソースの割り当て方法に基づいて決定される情報である
ことを特徴とするユーザ装置。
【請求項５】
前記送信タイミング情報は、前記ユーザ装置が同期信号を受信するタイミングに対するオフセットを示す情報である
ことを特徴とする請求項４に記載のユーザ装置。
【請求項６】
前記ユーザ装置は、前記基地局からタイミングアドバンス情報を受信し、前記送信タイミング情報として、当該タイミングアドバンス情報から得られた値を用いる
ことを特徴とする請求項４又は５に記載のユーザ装置。
【請求項７】
無線により発見信号の送信を行うユーザ装置に制御信号を送信する基地局が実行する送信タイミング情報送信方法であって、
前記ユーザ装置に対し、発見信号の送信を行うために使用する発見リソースを割り当てるリソース割り当てステップと、
前記発見リソースの割り当て方法に基づいて、前記ユーザ装置が発見信号を送信するために用いる送信タイミング情報を決定する決定ステップと
前記送信タイミング情報を前記ユーザ装置に送信する送信ステップと
を備えることを特徴とする送信タイミング情報送信方法。
【請求項８】
無線により発見信号の送信を行うユーザ装置が実行する発見信号送信方法であって、
基地局から、前記ユーザ装置が発見信号を送信するために用いる送信タイミング情報を含む制御信号を受信する受信ステップと、
前記制御信号から取得した前記送信タイミング情報を用いて発見信号を送信する送信ステップと、を備え、
前記送信タイミング情報は、発見信号の送信を行うために使用される発見リソースの割り当て方法に基づいて決定される情報である
ことを特徴とする発見信号送信方法。
【発明の詳細な説明】
【技術分野】
【０００１】
本発明は、端末間通信（Ｄ２Ｄ通信、装置対装置通信）に関するものであり、特に、端末間通信において、発見信号を送信する送信タイミングを設定する方法に関連するものである。
【背景技術】
【０００２】
移動体通信では、端末（以下、ユーザ装置ＵＥと呼ぶ）と基地局ｅＮＢが通信を行うことによりユーザ装置ＵＥ間で通信を行うことが一般的であるが、近年、ユーザ装置ＵＥ間で直接に通信を行うことについての種々の技術が検討されている。
【０００３】
ユーザ装置ＵＥ間で通信を行う際に、一方のユーザ装置ＵＥは、近隣の他方のユーザ装置ＵＥを発見することが必要である。ユーザ装置ＵＥを発見する手法として、各ユーザ装置ＵＥが、自身のＩＤを含む発見信号（ｄｉｓｃｏｖｅｒｙ  ｓｉｇｎａｌ）を送信（ブロードキャスト）する手法がある。
【０００４】
図１は、発見信号を送信するためのリソース（発見リソース）の例を模式的に示す図である。図１の例では、発見信号の送受信を行うことでユーザ装置ＵＥの発見（被発見）を行う発見期間（ｄｉｓｃｏｖｅｒｙ  ｐｅｒｉｏｄ）が周期的に訪れるように定めてあり、各発見期間において発見信号送信（及び受信）のためのリソース（時間−周波数リソースであり、発見リソースと呼ぶ。これをＤ２Ｄリソースプールと呼んでもよい）が定められている。各ユーザ装置ＵＥは、発見期間において発見リソースを用いて発見信号の送信を行う。発見リソースと、セルラー通信（以降、ＷＡＮと呼ぶ）リソースは多重される。多重は、周波数多重（ＦＤＭ）、時間分割多重（ＴＤＭ）、ＴＤＭとＦＤＭの組み合わせ等により行われる。また、発見信号は、ＬＴＥにおけるＰＵＳＣＨ等のデータチャネルの時間・周波数リソースにマッピングして送信することが想定されている。
【０００５】
Ｄ２Ｄ通信の例を図２に示す。図２のユーザ装置ＵＥ１は、図１のＵＥ１で示される発見リソースを用いて発見信号を送信し、図２のユーザ装置ＵＥ２は、図１のＵＥ２で示される発見リソースを用いて発見信号を送信する。
【０００６】
図２におけるユーザ装置ＵＥ３は、ユーザ装置ＵＥ１が送信した発見信号を受信することでユーザ装置ＵＥ１を発見し、ユーザ装置ＵＥ４は、ユーザ装置ＵＥ２が送信した発見信号を受信することでユーザ装置ＵＥ２を発見する。
【０００７】
各ユーザ装置ＵＥに対する発見リソースの割り当て方法には、大きく２つの方法がある。１つは、発見リソースが全ユーザ装置ＵＥ（あるいは、複数ユーザ装置ＵＥからなるグループ）に共通に割り当てられ、各ユーザ装置ＵＥが、使用可能な発見リソースの中から任意に１つの発見リソースを選択する方法である。この方法を「タイプ１」と呼ぶ。もう１つは、基地局ｅＮＢが個々のユーザ装置ＵＥに対して個々の発見リソースを割り当て、ユーザ装置ＵＥは割り当てられたリソースで発見信号を送信する方法である。この方法を「タイプ２」と呼ぶ。なお、タイプ２には、発見信号の送信毎にダイナミックにリソース割り当てを行うタイプ２Ａと、セミパーシステントに割り当てを行うタイプ２Ｂがある。
【先行技術文献】
【非特許文献】
【０００８】
【非特許文献１】３ＧＰＰ  ＲＰ−１４０１２６
【発明の概要】
【発明が解決しようとする課題】
【０００９】
Ｄ２Ｄ通信を行うユーザ装置ＵＥは、所定の装置（例：基地局ｅＮＢ）から同期信号を定期的に受信し、この同期信号の受信タイミングに基づいて発見信号の送受信を行う。より詳細には、Ｔ１を同期信号の受信タイミングとし、Ｔ２をタイミングオフセット（正、負、又は０）とすると、Ｔ１−Ｔ２のタイミングで発見信号を送信する。
【００１０】
例えば非特許文献１に記載のように、上記のＴ２の値を、ユーザ装置ＵＥの状態（ＲＲＣ接続／ＲＲＣアイドル）等に基づいて定めることが検討されている。例えば、Ｔ２の値として、０あるいはＴＡ（Ｔｉｍｉｎｇ  Ａｄｖａｎｃｅ）の値を用いることが検討されている。ＴＡとは、ＬＴＥのＷＡＮ通信において、各ユーザ装置ＵＥから基地局ｅＮＢに送信される上り信号のタイミングをそろえるために、基地局ｅＮＢが各ユーザ装置ＵＥに対して通知する送信タイミングオフセットの値である。ＬＴＥ（ＦＤＤ）のＷＡＮ通信において、ユーザ装置ＵＥは、Ｔ１−ＴＡのタイミングで上り信号を送信する。
【００１１】
さて、上記のように、発見リソースとＷＡＮリソースはＦＤＭやＴＤＭで多重されるが、その場合、Ｄ２Ｄ通信がＷＡＮの上りの通信に干渉を及ぼす可能性がある。例えば、ＬＴＥのＦＤＤシステムの場合において、ＷＡＮの上りではＴ２＝ＴＡが用いられるのに対し、Ｄ２Ｄの発見信号送信において、Ｔ２としてＴＡ以外の値を使用した場合、発見信号（例：ＰＤＳＣＨ上の信号）とＷＡＮ信号（例：前記ＰＤＳＣＨと同一サブフレームにあるべきＰＵＣＣＨ）の基地局ｅＮＢにおける到達タイミングの差が大きくなる可能性がある。
【００１２】
発見信号とＷＡＮ信号との間のタイミング差が大きくなると、発見信号がＷＡＮ信号に対してシンボル間干渉（ＩＳＩ、Ｉｎｔｅｒ  Ｓｙｍｂｏｌ  Ｉｎｔｅｒｆｅｒｅｎｃｅ）や、隣接サブキャリア間でのキャリア間干渉（ＩＣＩ、Ｉｎｔｅｒ  Ｃａｒｒｉｅｒ  Ｉｎｔｅｒｆｅｒｅｎｃｅ）をもたらす可能性がある。
【００１３】
本発明は上記の点に鑑みてなされたものであり、発見信号の送信を行うユーザ装置に対して、適切な送信タイミングオフセットを設定することを可能とする技術を提供することを目的とする。
【課題を解決するための手段】
【００１４】
本発明の実施の形態によれば、無線により発見信号の送信を行うユーザ装置に制御信号を送信する基地局であって、
前記ユーザ装置に対し、発見信号の送信を行うために使用する発見リソースを割り当てるリソース割り当て手段と、
前記発見リソースの割り当て方法に基づいて、前記ユーザ装置が発見信号を送信するために用いる送信タイミング情報を決定する決定手段と、
前記送信タイミング情報を前記ユーザ装置に送信する送信手段とを備える基地局が提供される。
【００１５】
また、本発明の実施の形態によれば、無線により発見信号の送信を行うユーザ装置であって、
基地局から、前記ユーザ装置が発見信号を送信するために用いる送信タイミング情報を含む制御信号を受信する受信手段と、
前記制御信号から取得した前記送信タイミング情報を用いて発見信号を送信する送信手段と、を備え、
前記送信タイミング情報は、発見信号の送信を行うために使用される発見リソースの割り当て方法に基づいて決定される情報である、ユーザ装置が提供される。
【００１６】
また、本発明の実施の形態によれば、無線により発見信号の送信を行うユーザ装置に制御信号を送信する基地局が実行する送信タイミング情報送信方法であって、
前記ユーザ装置に対し、発見信号の送信を行うために使用する発見リソースを割り当てるリソース割り当てステップと、
前記発見リソースの割り当て方法に基づいて、前記ユーザ装置が発見信号を送信するために用いる送信タイミング情報を決定する決定ステップと
前記送信タイミング情報を前記ユーザ装置に送信する送信ステップとを備える送信タイミング情報送信方法が提供される。
【００１７】
また、本発明の実施の形態によれば、無線により発見信号の送信を行うユーザ装置が実行する発見信号送信方法であって、
基地局から、前記ユーザ装置が発見信号を送信するために用いる送信タイミング情報を含む制御信号を受信する受信ステップと、
前記制御信号から取得した前記送信タイミング情報を用いて発見信号を送信する送信ステップと、を備え、
前記送信タイミング情報は、発見信号の送信を行うために使用される発見リソースの割り当て方法に基づいて決定される情報である、発見信号送信方法が提供される。
【発明の効果】
【００１８】
本発明の実施の形態によれば、発見信号の送信を行うユーザ装置に対して、適切な送信タイミングオフセットを設定することが可能となる。
【図面の簡単な説明】
【００１９】
【図１】発見信号を送信するためのリソースの一例を示す図である。
【図２】Ｄ２Ｄ通信を説明するための図である。
【図３】本発明の実施の形態に係る通信システムの構成図である。
【図４】本実施の形態の通信システムの動作概要を説明するための図である。
【図５】ガードバンド設定１を示す図である。
【図６】ガードバンド設定２を示す図である。
【図７】ガードバンド設定と多重方法を考慮したＴ２設定例を示す図である。
【図８】Ｔ２＝ＴＡの場合における信号到着タイミング例を示す図である。
【図９】Ｔ２＝ＴＡ／２の場合における信号到着タイミング例を示す図である。
【図１０】Ｔ２＝０の場合における信号到着タイミング例を示す図である。
【図１１】基地局ｅＮＢの動作例を示すフローチャートである。
【図１２】ユーザ装置ＵＥ−Ｔの動作例を示すフローチャートである。
【図１３】ユーザ装置ＵＥ−Ｒの動作例を示すフローチャートである。
【図１４】基地局ｅＮＢの構成例を示す図である。
【図１５】ユーザ装置ＵＥの構成例を示す図である。
【発明を実施するための形態】
【００２０】
以下、図面を参照して本発明の実施の形態を説明する。なお、以下で説明する実施の形態は一例に過ぎず、本発明が適用される実施の形態は、以下の実施の形態に限られるわけではない。
【００２１】
（実施の形態の概要）
まず、図３を参照して、本発明の実施の形態における通信システムの構成例を説明する。図３に示すように、本実施の形態における通信システムは、基地局ｅＮＢの配下に複数のユーザ装置ＵＥが存在するセルラー通信システムである。ただし、本実施の形態のユーザ装置ＵＥは、基地局ｅＮＢのカバレッジ内に存在していなくてもよく、その場合でもＤ２Ｄ通信を行うことができる。
【００２２】
本実施の形態における通信システムには、複数の基地局ｅＮＢ及び多数のユーザ装置ＵＥが存在するが、図３ではそのうちの１つの基地局ｅＮＢ、及び発見信号の送信側と受信側の２つのユーザ装置ＵＥ−Ｔ、ＵＥ−Ｒを示している。本実施の形態の通信システムは、ＬＴＥに準拠したものであるが、本発明を適用できる通信システムの通信方式はＬＴＥに限られるわけではない。なお、本明細書及び特許請求の範囲において、「ＬＴＥ」は、３ＧＰＰのリリース８、又は９に対応する通信方式のみならず、３ＧＰＰのリリース１０、１１、１２、１３もしくはそれ以降に対応する通信方式も含む広い意味で使用する。
【００２３】
本実施の形態では、同じサブフレームにおける発見信号のＷＡＮ信号（例：ＰＵＣＣＨ）への干渉を防止（緩和）するために、ＷＡＮリソースと発見リソース間にガードバンドを挿入することができる。つまり、基地局ｅＮＢは、発見リソースを割り当てる際に、フレームあたりいくつかのＲＢ（リソースブロック）をガードバンドのために確保する。ガードバンドの帯域幅等は、例えば通信品質や混雑度等により基地局ｅＮＢが決定することができる。ガードバンドは、発見リソースとＷＡＮリソース間の他、同じサブフレームにおけるタイプ１発見リソースとタイプ２発見リソース間に挿入することもできる。
【００２４】
以降、ＷＡＮ信号の一例としてＰＵＣＣＨを用いて説明するが、ＰＵＣＣＨに限らず他のＷＡＮ信号を指してもよい。ガードバンドを挿入する場合、ＰＵＣＣＨは、Ｄ２Ｄ信号と異なるＣＰ長を持つこととしてもよい。
【００２５】
本実施の形態では、基地局ｅＮＢが、送信タイミングオフセット（Ｔ２）に関する設定モードをガードバンド設定方法を含むＷＡＮリソースと発見リソースとの多重方法（設定内容）等に基づき決定し、それをＲＲＣシグナリング、ＳＩＢ等によりユーザ装置ＵＥに通知することとしている。通知は、発見リソースの割り当て情報とともに行ってもよい。
【００２６】
図４を参照して、本実施の形態に係る通信システムの動作の概要を説明する。図４に示すように、基地局ｅＮＢが、ユーザ装置ＵＥ毎に、発見リソースのガードバンド設定や発見リソースとＷＡＮリソースとの多重方法等に基づいて設定モード（Ｔ２を指定）を決定し、設定モードを含むメッセージ１を各ユーザ装置ＵＥに送信する。当該メッセージ１には、設定モードの他に、発見リソースの割り当て情報等のスケジューリング情報が含まれていてもよい。
【００２７】
また、タイプ２Ａのようにダイナミックにリソース割り当てを行う場合には、メッセージ１をＰＤＣＣＨ等の動的なシグナリングで通知し、タイプ２Ｂのようにセミパーシステントにリソース割り当てを行う場合には、メッセージ１をＳＩＢやＲＲＣシグナリングで通知することとしてもよい。
【００２８】
メッセージ１を受信したユーザ装置ＵＥ−Ｔは、メッセージ１に含まれる設定モードに基づくＴ２を用いて、Ｔ１−Ｔ２のタイミングで発見信号を送信する。一方、ユーザ装置ＵＥ−Ｒは、例えば、メッセージ１に含まれる設定モードに基づくＴ２を用いて発見信号を受信する動作を行う。
【００２９】
また、基地局ｅＮＢは、割り当てる発見リソースの構成（割り当て方法）に応じて、ＩｍｐｌｉｃｉｔにＴ２の値を通知することも可能である。つまり、この場合、基地局ｅＮＢは、設定モードをユーザ装置ＵＥに通知するのではなく、ユーザ装置ＵＥは基地局ｅＮＢから割り当てられた発見リソースの構成（ガードバンド設定、多重方法等）に応じてＴ２の値を決定する。この場合、リソース割り当て情報を「送信タイミング情報」と考えることができる。
【００３０】
また、上記Ｉｍｐｌｉｃｉｔ通知の場合において、ユーザ装置ＵＥは、発見リソースとＰＵＣＣＨとの間のガードバンドの大きさに応じてＴ２の値を決定してもよい。例えば、ガードバンドが２ＰＲＢ以上であればＴ２＝０で、それ以外の場合はＴ２＝ＴＡとすることができる。このような決定方法は、基地局ｅＮＢにおいて適用することもできる。
【００３１】
（ガードバンド設定例）
ＬＴＥの上り通信では、システム帯域の両端にＰＵＣＣＨが割り当てられ、両端にあるＰＵＣＣＨの間のリソースがデータチャネル（ＰＵＳＣＨ）に割り当てられる。本実施の形態では、当該データチャネルのリソースの一部が発見リソースとして割り当てられることを想定している。
【００３２】
このような想定において、本実施の形態では、発見リソースとＷＡＮリソース間等におけるガードバンドの設定方法として２種類（ガードバンド設定１、ガードバンド設定２）を用いている。
【００３３】
ガードバンド設定１では、タイプ１の発見リソースの両端のみにガードバンドを挿入し、タイプ２の発見リソースとＷＡＮリソースとの間にはガードバンドが挿入されない。ガードバンド設定２では、タイプ１の発見リソースとタイプ２の発見リソースをまとめて扱い、これらのリソースの両端にガードバンドを挿入する。また、リソース間の多重方法としては、周波数方向に多重するＦＤＭと、時間方向に多重するＴＤＭがある。
【００３４】
図５、図６を参照してガードバンド設定例を説明する。図５は、ガードバンド設定１の例を示す図である。図５（ａ）は、タイプ１発見リソースとタイプ２発見リソースがＦＤＭで多重される例である。図５（ｂ）は、タイプ２発見リソースのみがＷＡＮリソースとＦＤＭで多重される例であり、ガードバンドが挿入されていない。
【００３５】
図５（ｃ）は、タイプ２発見リソースとタイプ１発見リソースがＴＤＭで多重されるとともに、タイプ２発見リソースがＰＵＳＣＨとＴＤＭで多重される例である。図５（ｄ）では、タイプ２発見リソースとタイプ１発見リソースがＴＤＭで多重されていると考えることができる。また、タイプ２発見リソースがＰＵＳＣＨとＦＤＭにより多重されている。図５（ｅ）では、ＰＵＳＣＨの中に、タイプ２発見リソースが割り当てられている。また、タイプ１発見リソースとはＴＤＭにより多重されていると考えることができる。
【００３６】
図６は、ガードバンド設定２の例を示す図である。図６（ａ）は、タイプ２発見リソースとタイプ１発見リソースがＦＤＭで多重されている例である。図６（ｂ）は、タイプ２発見リソースとタイプ１発見リソースがＴＤＭで多重されるとともに、タイプ２発見リソースがＰＵＳＣＨとＴＤＭで多重される例である。図６（ｃ）では、タイプ２発見リソースとタイプ１発見リソースがＴＤＭで多重されていると考えることができる。また、タイプ２発見リソースがＰＵＳＣＨとＦＤＭにより多重されている。
【００３７】
ガードバンド設定２において、ＰＵＣＣＨを有する各サブフレームにおいて、Ｔ２を決定する要因は、タイプ２発見リソースとタイプ１発見リソース間の多重方法である（タイプ２発見リソースとＰＵＳＣＨ間の多重方法に依存しない）。
【００３８】
（設定モードの例）
図７に、ＦＤＤを例にとり、Ｔ２の設定モードと、それに対応するガードバンド設定及び多重方法、及び受信タイミングオフセットのオプションを示す。なお、図７に示す例は一例に過ぎない。基地局ｅＮＢは、図７に示す対応に基づき、設定モード（Ｔ２の値）を決定する。図７における多重方法は、タイプ１発見リソースとタイプ２発見リソース間の多重方法を示す。また、図７はＦＤＤの例であるが、ＴＤＤの場合には、図７のＴ２の値に所定の値（例：６２４Ｔｓ）を加えればよい。
【００３９】
例えば、ガードバンド設定が１（例：図５）である場合、多重方法に拠らずに、Ｔ２＝ＴＡと決定する。本例では、これは設定モード０とされており、基地局ｅＮＢは、設定モードとして０を送信する。本実施の形態では、設定モードは２ビットで通知することが可能である。当該設定モードを受信したユーザ装置ＵＥは、Ｔ２＝ＴＡであると判断して発見信号の送信を行う。ガードバンド設定１では、タイプ２発見リソースとＷＡＮリソース間にガードバンドは挿入されないから、Ｔ２＝ＴＡ（ＷＡＮの上り信号送信と同じ）とすることで、ＷＡＮ信号に対する干渉を緩和できる。
【００４０】
また、図７の例では、ガードバンド設定が２で、多重方法がＦＤＭである場合、Ｔ２＝０（設定モード１）としている。Ｔ２＝０とすることで、発見信号とＷＡＮ信号間にタイミング差が生じるが、ガードバンドが挿入されているので、ＷＡＮ信号に対する干渉を緩和できる。Ｔ２＝０により、現状、議論されているタイプ１でのＴ２（＝０）と共通の設定とすることができる。
【００４１】
また、ガードバンド設定が２で、多重方法がＴＤＭである場合、Ｔ２＝ＴＡ／２（設定モード２）としている。Ｔ２＝ＴＡ／２とすることで、ＴＤＭにおけるタイミング差の減少を期待できる。
【００４２】
また、図７には、受信タイミングオフセットも示されている。例えば、設定モードを受信したユーザ装置ＵＥ−Ｒは、図７に示すように、設定モードに対応する受信タイミングオフセットを加味したタイミング（Ｔ１−Ｔ２）で、受信動作を開始することができる。ただし、図７の対応付けの受信タイミングオフセットを使用することは一例であり、他の方法で決定した受信タイミングオフセットを使用してもよい。
【００４３】
受信タイミングオフセットとして、図７には３つのオプションが示されている。オプション１では、ＲＲＣ接続ＵＥと、ＲＲＣアイドルＵＥのいずれもタイプ２（具体的にはタイプ２Ｂ）受信が許容されており、ＲＲＣアイドルＵＥは、ＴＡを持たないので、固定のオフセット（２Ｒ／ｃ又はＲ／ｃ）を使用し、ＲＲＣ接続ＵＥはＴ２を使用する。なお、Ｒは接続セルの半径である。
【００４４】
オプション２では、ＲＲＣ接続ＵＥと、ＲＲＣアイドルＵＥのいずれもタイプ２（具体的にはタイプ２Ｂ）受信が許容されており、ＲＲＣアイドルＵＥとＲＲＣ接続ＵＥのいずれも固定のオフセット（２Ｒ／ｃ又はＲ／ｃ）を使用する。オプション３では、ＲＲＣアイドルＵＥはタイプ２（具体的にはタイプ２Ｂ）受信を許容されておらず、ＲＲＣ接続ＵＥはＴ２を使用する。このように状態に応じてＵＥが受信できる発見信号を限定してもよいし、限定は行わず端末の実装に依ってもよい。
【００４５】
以上、Ｔ２をＴＡ、０、ＴＡ／２とする例を示した。以下では、動作例として、それぞれの場合に、受信側でどのようなタイミングで発見信号が受信されるのかを図８〜図１０を参照して説明する。図８〜図１０において、発見できる最大範囲はＲであり、ＵＥ０が受信側のＵＥであり、ＵＥ１はＵＥ０に近く、ＵＥ３はＵＥ０からＲの距離にあるとする。また、図中のＴｘ、Ｒｘの横軸は、送信タイミング、受信タイミングを示す時間軸である。
【００４６】
図８は、Ｔ２＝ＴＡの場合を示す図である。図８（ａ）はＵＥ０がセル端にある場合であり、図８（ｂ）はＵＥ０がセル端にない場合であり、図８（ｃ）はＵＥ０が基地局ｅＮＢと同位置にある場合である。図９、図１０の（ａ）、（ｂ）、（ｃ）も同様である。
【００４７】
例えば、図８（ａ）において、ＵＥ１は、基地局ｅＮＢから離れているため、ＴＡがＵＥ２よりも大きく、ＵＥ２よりも早いタイミングで発見信号を送信する。この発見信号はすぐにＵＥ０に到着する。また、ＵＥ３（基地局に近いためＴＡが小さい）から送信された発見信号は、最後にＵＥ０に届く。
【００４８】
図８（ａ）〜（ｃ）により、Ｔ２＝ＴＡの場合、ＵＥ０は、自身のタイミングオフセットＴ２から受信を開始できることがわかる。図９は、Ｔ２＝ＴＡ／２の場合を示す。この場合も、ＵＥ０は、自身のタイミングオフセットＴ２から受信を開始できることがわかる。また、受信タイミング差が小さいことがわかる。図１０は、Ｔ２＝０の場合を示す。この場合、ＵＥ０は、自身のＤＬ受信タイミングから受信を開始できることがわかる。
【００４９】
（装置の動作、構成について）
図１１は、図４に示したようにメッセージ送信等を行う基地局ｅＮＢの処理内容を示すフローチャートである。図１１を参照して基地局ｅＮＢの動作例を説明する。
【００５０】
基地局ｅＮＢは、各ユーザ装置ＵＥのＴＡを計算し、計算したＴＡを各ユーザ装置ＵＥに送信する（ステップ１０１）。また、基地局ｅＮＢは、例えば図７に示した対応表に従って、各ユーザ装置ＵＥの設定モードを決定し（ステップ１０２）、当該設定モードを含む制御信号を各ユーザ装置ＵＥに送信する（ステップ１０３）。
【００５１】
図１２は、送信側のユーザ装置ＵＥ−Ｔの動作例を示すフローチャートである。図１２を参照してユーザ装置ＵＥ−Ｔの動作例を説明する。
【００５２】
ユーザ装置ＵＥ−Ｔは、基地局ｅＮＢからＴＡを取得する（ステップ２０１）。ユーザ装置ＵＥ−Ｔは、基地局ｅＮＢから設定モードを受信し（ステップ２０２）、送信タイミングオフセットを決定し（ステップ２０３）、Ｔ１−Ｔ２のタイミングで発見信号を送信する（ステップ２０４）。
【００５３】
なお、図１２は、ユーザ装置ＵＥ−ＴがＲＲＣ接続状態であり、アクティブなＴＡに基づいて発見信号を送信することを想定している。ユーザ装置ＵＥ−ＴがＲＲＣアイドル状態であって、発見信号送信を行う場合は、例えばＴ２として固定値（Ｒ／ｃ等）を用いることができる。
【００５４】
また、ユーザ装置ＵＥ−ＴがＲＲＣ接続状態であり、Ｔ２＝ＴＡ又はＴＡ／２の場合において、ユーザ装置ＵＥ−ＴはＴＡタイマに基づき有効なＴＡを保持しているかどうかを判断し、有効なＴＡを保持している場合にＴ２＝ＴＡ又はＴＡ／２として発見信号を送信し、ＴＡタイマが満了しており、有効なＴＡを保持していない場合には、ＴＡ＝０として発見信号を送信する動作を行ってもよい。また、有効なＴＡを保持していない場合には、タイプ２の発見信号を送信せずに、タイプ１の発見信号を送信したり、ＲＡＣＨを送信するといった動作を行うこととしてもよい。
【００５５】
図１３は、受信側のユーザ装置ＵＥ−Ｒの動作例を示すフローチャートである。図１３を参照してユーザ装置ＵＥ−Ｒの動作例を説明する。
【００５６】
ユーザ装置ＵＥ−Ｒは、設定モードを基地局ｅＮＢから受信する（ステップ３０１）。ユーザ装置ＵＥ−ＲがＲＲＣ接続状態にある場合（ステップ３０２のＹｅｓ）、ユーザ装置ＵＥ−ＲはＴＡを取得して（ステップ３０３）、ステップ３０４に進む。ユーザ装置ＵＥ−ＲがＲＲＣ接続状態にない場合（ステップ３０２のＮｏ）はそのままステップ３０４に進む。
【００５７】
ユーザ装置ＵＥ−Ｒは、例えば図７の対応表に従って、受信タイミングオフセットを決定し（ステップ３０４）、決定した受信タイミングオフセットに基づき受信を行う。例えば、受信タイミングオフセットをＯＦＦＳＥＴとすると、Ｔ１−ＯＦＦＳＥＴのタイミングから受信動作（所定範囲のリソースに対する復調動作等）を開始する（ステップ３０５）。
【００５８】
また、基地局ｅＮＢは、ユーザ装置ＵＥ−Ｒの受信情報を、ＳＩＢ等の上位レイヤシグナリング、あるいはＰＤＣＣＨによりユーザ装置ＵＥ−Ｒに通知してもよい。受信情報は、例えば、受信ウィンドウ幅（受信信号を監視する期間）、受信タイミング基準（受信タイミングオフセット）等である。
【００５９】
受信タイミングオフセットについて、割り当てられた発見リソースの構成または送信タイミングオフセットの値、受信のためのリソース構成等に応じてＩｍｐｌｉｃｉｔに通知してもよい。つまり、例えば、ユーザ装置ＵＥ−Ｒは、図７の対応表に基づいて、発見リソースの構成、送信タイミングオフセットの値等に対応する受信タイミングオフセットを決定することができる。
【００６０】
また、ユーザ装置ＵＥ−Ｒは、ＲＲＣ状態や受信タイミング等に応じて、モニタする発見信号を限定してもよい。例えば、ＲＲＣアイドル状態の場合にはタイプ２のリソースの発見信号を受信せずに、タイプ１の発見リソースのみを受信するという動作を行ってもよい。また、基地局ｅＮＢが、ユーザ装置ＵＥにおいてモニタする発見信号のタイプをＲＲＣなど上位レイヤシグナリングで通知して、ユーザ装置ＵＥはその通知に従って、受信を行うこととしてもよい。
【００６１】
次に、図１４、図１５を参照して、基地局ｅＮＢ、及びユーザ装置ＵＥの構成例を説明する。
【００６２】
図１４は基地局ｅＮＢの構成例を示す図である。図１４を参照して基地局ｅＮＢの構成例を説明する。なお、図１４は、本実施の形態に関係する構成のみを示すものであり、当該基地局ｅＮＢは、例えばＬＴＥに準拠した基地局ｅＮＢとしての動作を行うための図示しない既存機能を含む。
【００６３】
図１４に示すように、基地局ｅＮＢは、ＴＡ算出部１０１、Ｄ２Ｄリソース割り当て部１０２、設定モード決定部１０３、制御信号生成部１０４、送信部１０５を含む。
【００６４】
ＴＡ算出部１０１は、当該基地局ｅＮＢに接続するユーザ装置ＵＥ毎にＴＡを算出し、ＴＡを制御信号生成部１０４に渡す。Ｄ２Ｄリソース割り当て部１０２は、発見信号送信のためのリソースをユーザ装置ＵＥに割り当て、割り当て情報（ガードバンドの設定情報も含む）を制御信号生成部１０４に渡す。なお、リソースの割り当て方法は特定の方法に限定されないが、例えば、Ｄ２Ｄ通信を行うユーザ装置ＵＥの混雑度に応じて、個別リソースを割り当てる（タイプ２）、あるグループに共通のリソースを割り当てる（タイプ１）のいずれかを選択するといった動作を行うことができる。
【００６５】
また、Ｄ２Ｄリソース割り当て部１０２は、各ユーザ装置ＵＥに割り当てたリソースの割り当て情報を含むリソース割り当て情報をメモリ等に保持しているものとし、当該割り当て情報は設定モード決定部１０３により参照される。
【００６６】
設定モード決定部１０３は、例えば、図７に示すような設定モード（Ｔ２）と、ガードバンド設定情報及び多重方法を対応付けたテーブルを保持し、テーブルとリソース割り当て情報に基づいて、各ユーザ装置ＵＥの設定モードを決定し、決定した設定モードを制御信号生成部１０４に渡す。
【００６７】
制御信号生成部１０４は、各種制御信号（ＲＲＣシグナリング、ＳＩＢ、ＰＤＣＣＨ等）を生成し、送信部１０５に渡す。送信部１０５は、無線により制御信号を各ユーザ装置ＵＥに送信する。また、制御信号生成部１０４は、前述したように、受信に関する情報を含む制御信号を生成し、送信部１０５から送信する機能を備えてもよい。
【００６８】
図１５はユーザ装置ＵＥの構成例を示す図である。図１５を参照してユーザ装置ＵＥの構成例を説明する。なお、図１５は、本実施の形態に関係する構成のみを示すものであり、当該ユーザ装置ＵＥは、例えばＬＴＥに準拠したユーザ装置ＵＥとしての動作を行うための図示しない既存機能を含む。
【００６９】
図１５に示すように、ユーザ装置ＵＥは、送信部２０１、受信部２０２、制御情報取得部２０３、発見信号受信制御部２０４、タイミング決定部２０５、発見信号送信制御部２０６を含む。
【００７０】
受信部２０２は、基地局ｅＮＢや他のユーザ装置ＵＥから送信された各種信号を無線で受信する。制御情報取得部２０３は、受信部２０２により受信された制御信号から、同期タイミング、ＴＡ、設定モード、割り当て情報等の制御情報を取得する。タイミング決定部２０５は、制御情報取得部２０３により取得した制御情報に基づいて、送信タイミングオフセット（Ｔ２）を決定するとともに、Ｔ１−Ｔ２を算出して、Ｔ１−Ｔ２を発見信号送信制御部２０６に渡す。発見信号送信制御部２０６は、発見信号を生成するとともに、Ｔ１−Ｔ２のタイミングで発見信号を無線送信するよう送信部２０１を制御する。送信部２０１は発見信号等の各種信号を無線で送信する。
【００７１】
また、タイミング決定部２０５は、制御情報取得部２０３により取得した制御情報に基づいて、受信タイミングを決定し、当該受信タイミングの情報を発見信号受信制御部２０４に渡す。発見信号受信制御部２０４は、当該受信タイミング情報に従って発見信号の受信動作を行うように受信部２０２を制御する。
【００７２】
（実施の形態のまとめ、効果等）
以上、説明したように、本実施の形態によれば、無線により発見信号の送信を行うユーザ装置に制御信号を送信する基地局であって、前記ユーザ装置に対し、発見信号の送信を行うために使用する発見リソースを割り当てるリソース割り当て手段と、前記発見リソースの割り当て方法に基づいて、前記ユーザ装置が発見信号を送信するために用いる送信タイミング情報を決定する決定手段と、前記送信タイミング情報を前記ユーザ装置に送信する送信手段とを備える基地局が提供される。
【００７３】
前記リソース割り当て手段は、セルラー通信のために使用されるリソースと前記発見リソースとの間にガードバンドを設定する機能を備え、前記決定手段は、前記ガードバンドの設定方法に基づいて前記送信タイミング情報を決定することができる。前記送信タイミング情報は、例えば、前記ユーザ装置が同期信号を受信するタイミングに対するオフセットを示す情報である。
【００７４】
基地局を上記のように構成することで、例えば、最小限のガードバンドで干渉を回避しつつ、Ｄ２Ｄ受信信号間の受信タイミング差も制御することができる。
【００７５】
また、本実施の形態によれば、無線により発見信号の送信を行うユーザ装置であって、基地局から、前記ユーザ装置が発見信号を送信するために用いる送信タイミング情報を含む制御信号を受信する受信手段と、前記制御信号から取得した前記送信タイミング情報を用いて発見信号を送信する送信手段と、を備え、前記送信タイミング情報は、発見信号の送信を行うために使用される発見リソースの割り当て方法に基づいて決定される情報であることを特徴とするユーザ装置が提供される。
【００７６】
前記送信タイミング情報は、例えば前記ユーザ装置が同期信号を受信するタイミングに対するオフセットを示す情報である。前記ユーザ装置は、前記基地局からタイミングアドバンス情報を受信し、前記送信タイミング情報として、当該タイミングアドバンス情報から得られた値を用いることとしてもよい。
【００７７】
ユーザ装置を上記のように構成することで、例えば、最小限のガードバンドで干渉を回避しつつ、Ｄ２Ｄ受信信号間の受信タイミング差も制御することができる。
【００７８】
本実施の形態によれば、ＲＲＣ状態、リソースプールの構成等に応じて適切な送信タイミングオフセットを定めることが可能になる。これにより、ＷＡＮ、Ｄ２Ｄ信号間のＩＳＩ、ＩＣＩを最小限に抑えつつ、Ｄ２Ｄ信号の受信タイミング差を最小限にすることができる。また、ＷＡＮトラフィックが少ない場合に、ＷＡＮ側信号を多重せず（ＷＡＮ側への干渉を考慮せず）、タイプ１、タイプ２をガードバンドなしでＦＤＭすることで周波数利用効率が向上する。更に、受信タイミングを調整することで効率的な発見信号検出が可能になる。
【００７９】
以上、本発明の各実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置ＵＥ及び基地局ｅＮＢは機能的なブロック図を用いて説明されたが、そのような装置はハードウェアで、ソフトウェアで又はそれらの組み合わせで実現されてもよい。本発明に従って動作するソフトウェア（ユーザ装置ＵＥのプロセッサにより動作するソフトウェア、基地局ｅＮＢのプロセッサにより動作するソフトウェア）は、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【００８０】
ＵＥ  ユーザ装置
ｅＮＢ  基地局
１０１  ＴＡ算出部
１０２  Ｄ２Ｄリソース割り当て部
１０３  設定モード決定部
１０４  制御信号生成部
１０５  送信部
２０１  送信部
２０２  受信部
２０３  制御情報取得部
２０４  発見信号受信制御部
２０５  タイミング決定部
２０６  発見信号送信制御部
【図１】
2015185961.tif 000003
【図２】
2015185961.tif 000004
【図３】
2015185961.tif 000005
【図４】
2015185961.tif 000006
【図７】
2015185961.tif 000007
【図８】
2015185961.tif 000008
【図９】
2015185961.tif 000009
【図１０】
2015185961.tif 000010
【図１１】
2015185961.tif 000011
【図１２】
2015185961.tif 000012
【図１３】
2015185961.tif 000013
【図１４】
2015185961.tif 000014
【図１５】
2015185961.tif 000015
【図５】
2015185961.tif 000016
【図６】
2015185961.tif 000017